(57)【要約】【課題】本発明は、除湿水量が少ない場合における除湿能力、ｐＨ調整能力、脱臭能力などの有機廃棄物処理装置としての基本的能力の低下を防止し安定した処理を可能とすることを目的とする。また、本発明は、メンテナンス時の水処理系等洗浄の頻度低減、作業量低減を図ることを目的とする。【解決手段】本発明によれば、熱交換器５５の入口側に散水管６５、電磁弁６６、タイマー６７等で構成される散水手段を設けることにより、水処理系統の洗浄を可能とすることができる。【選択図】  図１
2004358287.tif 000002
【特許請求の範囲】
【請求項１】
有機廃棄物を発酵、乾燥させる発酵槽と、上記発酵槽から排出された空気を除湿する熱交換器と、内部にｐＨ調整剤が充填され、上記熱交換器によって生成される除湿水を中和するｐＨ調整タンクとを備えた有機廃棄物処理装置において、熱交換器熱交換面に給水、散水させる給水装置を設置したことを特徴とする有機廃棄物処理装置。
【請求項２】
上記ｐＨ調整タンクで中和された除湿水が、脱臭担体を充填した脱臭タンクに流入するように設置したことを特徴とする請求項１記載の有機廃棄物処理装置。
【請求項３】
上記給水装置は電気的に開閉可能としたことを特徴とする請求項１、２記載の有機廃棄物処理装置。
【請求項４】
上記熱交換器によって生成される除湿水を上記ｐＨ調整タンクに流入させるドレン管の中間にフィルターを設置したことを特徴とする請求項１、２、３記載の有機廃棄物処理装置。
【請求項５】
上記脱臭タンクに水位検知機能を設置したことを特徴とする請求項１、２、３、４記載の有機廃棄物処理装置。
【発明の詳細な説明】
【０００１】
【発明の属する技術分野】
本発明は有機廃棄物を発酵処理し堆肥化する装置に関する。
【０００２】
【従来の技術】
従来より、有機廃棄物を発酵分解処理する装置に関して多くの発明が考案されている。その一例を図４に示す。
【０００３】
発酵槽２に投入された有機廃棄物は加熱、攪拌され、水蒸気を発生する。この水蒸気を含む臭気ガスは循環ファン６によって熱交換器４と発酵槽２とを循環しており、水蒸気は熱交換器４で除湿されて水滴となる。この除湿水は酸性傾向であるため、ドレン管１８によりｐＨ調整剤が充填されたｐＨ調整タンク１０に導入、中和される。中和後の除湿水は、脱臭微生物を固化、充填した脱臭タンク１２へ導入され、散気ブロア１４によって散気管より脱臭タンク１２へ導入された熱交換器通過後の臭気ガスの一部と混合され浄化、脱臭され、排水管１６により排水、排気される。
【０００４】
【特許文献】
なし
【０００５】
【発明が解決しようとする課題】
しかし、従来技術では以下のような問題点がある。
（１）発酵槽内の乾燥が進み、発酵槽、熱交換器を循環する臭気ガス内に含まれる粉塵量が増加した場合、熱交換器の熱交換面に粉塵、カビ、微生物などが付着し、熱交換能力が低下する。
（２）有機廃棄物の投入量が少量のときや熱交換能力の低下などにより除湿水が減少した場合、水流が確保できず、除湿水が流れ込む配管内面に粉塵、カビ、微生物などが付着、増殖し、配管を詰まらせる場合がある。
（３）除湿水が減少した場合、ｐＨ調整タンクに水が流れ込まない。ｐＨ調整タンク内の水位が低下し、水流もなくなるため、ｐＨ調整タンク内、ｐＨ調整剤表面に粉塵・カビ・微生物などが付着、増殖し、ｐＨ調整能力が低下する。また、悪臭が発生する。
（４）除湿水が減少した場合、脱臭タンクに水が流れ込まない。脱臭微生物の住処である水が減少するため、脱臭微生物の数が減少し、脱臭能力が低下する。
（５）除湿水が減少した場合、脱臭タンクに水が流れ込まない。臭気成分が溶け込む先である水が減少するため、臭気成分が十分溶け込めず、脱臭能力が低下する。
【０００６】
【課題を解決するための手段】
本発明の有機廃棄物処理装置は、熱交換器とｐＨ調整タンクと脱臭タンクとを有し、熱交換器で除湿された水が通るパイプで結ばれた構造であり、熱交換器の熱交換面に給水、散水させる給水装置を設置したことを特徴とするものである。
【０００７】
このように熱交換器内部に散水装置を設置することにより、熱交換器の熱交換面の汚れを洗い流し、熱交換能力の低下を防止することが可能となる。散水された水は除湿水と共に配管を通ってｐＨ調整タンクへと流れていくため、配管及びｐＨ調整タンクの水位、水流の確保が可能となり、粉塵、カビ、微生物などの付着、増殖を防止することが可能となり、配管詰まりの防止、ｐＨ調整能力低下の防止、悪臭発生の抑制が可能となる。ｐＨ調整タンクを通った水は脱臭タンクへと流れていくため、脱臭タンクの水位の確保が可能となる。これにより臭気が溶け込む水量を確保でき、脱臭微生物の減少を防止しできるため、脱臭能力低下を防止が可能となる。
【０００８】
【発明の実施の形態】
以下、本発明の実施例を図１〜図３により説明する。
【０００９】
図１は本発明の構成図である。熱交換器５５は複数本のパイプ５６で構成されており、発酵槽５０で発生する水蒸気を含む臭気ガスはこのパイプ５６の内側を通過するときに除湿され水滴となる。臭気ガスは、循環ファン５８によって熱交換器５５と発酵槽５０とを循環するよう構成されている。熱交換器５５の入り口側には、パイプ５６の内面に水が散水可能なように散水管６５が設置されている。また散水管６５には電磁弁６６とタイマー６７が接続されており、図２のように、散水量、散水時間などが制御可能となっている。これにより効率良くパイプ５６が洗浄可能となり、除湿性能の低下を防止できる。
【００１０】
除湿水は散水された水と共にドレン管７０を洗浄しながらｐＨ調整剤が充填されたｐＨ調整タンク８０に流入、中和される。ドレン管７０の途中にはフィルター７５が脱着可能に設置され、除湿水中に含まれる粉塵などがｐＨ調整タンク８０に流入することを防止する。これによりｐＨ調整タンク８０内の粉塵などの付着を防止することが可能となり、ｐＨ調整能力低下の防止、悪臭発生の抑制が可能となる。
【００１１】
ｐＨ調整タンク８０で中和後の除湿水は、脱臭微生物を固化、充填した脱臭タンク９０へ導入され、散気ブロア５９によって散気管６０により脱臭タンク９０へ導入された熱交換器通過後の臭気ガスの一部と混合され、浄化、脱臭される。散水により脱臭タンク９０内の水位が確保されるため、臭気が溶け込む水量を確保でき、脱臭微生物の減少を防止しできるため、脱臭能力低下を防止が可能となる。
【００１２】
脱臭タンク９０には水位を検知するセンサー９５が設置されている。投入される有機廃棄物が少なく、除湿水量が極端に少ない場合、粉塵量が増加し散水管６５に接続された電磁弁６６とタイマー６７で設定された散水量でも水位が不足する場合、図３のように強制的に電磁弁６６を開放し、脱臭タンク９０内の水位が満たされるまで散水管６５により給水する。これにより、除湿水量が少なく、粉塵量が多くなっても、熱交換器５５、ドレン管７０、ｐＨ調整タンク８０、脱臭タンク９０の洗浄、水量を確保でき、除湿性能の低下の防止、ｐＨ調整能力低下の防止、悪臭発生の抑制、脱臭能力低下を防止が可能となる。
【００１３】
脱臭タンク９０で処理された除湿水は排水管７８により機体外へ排水、排気される。
【００１４】
【発明の効果】
本発明の有機廃棄物処理装置は熱交換器の熱交換面に散水手段を設けることにより、水処理系統の洗浄が可能となり、除湿能力、ｐＨ調整能力、脱臭能力などの有機廃棄物処理装置としての基本的能力の低下を防止し安定した処理を可能とするものである。
【００１５】
また、脱臭タンクに水位センサを設け、水処理系統に適時散水、給水することにより、投入される有機廃棄物が少なく、粉塵量が増えた場合でも、基本的能力の低下を防止し安定した処理を可能とするものである。
【００１６】
また、散水手段を設けることにより、メンテナンス時の水処理系等洗浄の頻度低減、作業量低減が期待できる。
【図面の簡単な説明】
【図１】本発明による有機廃棄物処理装置の構成図。
【図２】散水装置の制御フローチャート。
【図３】水位センサー設置時の散水装置の制御フローチャート。
【図４】従来の有機廃棄物処理装置の一実施例を示す説明図。
【符号の説明】
２、５０…発酵槽、４、５５…熱交換器、６、５８…循環ファン、１０、８０…ｐＨ調整タンク、１２、９０…脱臭タンク、１４、５９…散気ブロア、１６、７８…排水管、１８、７０…ドレン管、５６…パイプ、６０…散気管、６５…散水管、６６…電磁弁、６７…タイマー、７５…フィルター、９５…水位センサー。
【図１】
2004358287.tif 000003
【図２】
2004358287.tif 000004
【図３】
2004358287.tif 000005
【図４】
2004358287.tif 000006